(57)【要約】【課題】異なる表示特性の表示装置に画像データを出力する場合でも、ＯＳＤ画像の色の見栄えを均一にすることが可能な画像出力装置、及び表示装置を提供する。【解決手段】画像データを表示装置に出力する画像出力装置において、前記画像データに対して所定の画質処理を施す画質調整手段と、前記画像データが出力される前記表示装置の表示特性に応じて、所定の色データを指定したＯＳＤデータを生成するＯＳＤ生成手段と、前記画質処理後の画像データに前記ＯＳＤデータを合成して出力する出力手段と、を有する。【選択図】図１
2013134386.tif 000002
【特許請求の範囲】
【請求項１】
画像データを表示装置に出力する画像出力装置において、
前記画像データに対して所定の画質処理を施す画質調整手段と、
前記画像データが出力される前記表示装置の表示特性に応じて、所定の色データを指定したＯＳＤデータを生成するＯＳＤ生成手段と、
前記画質処理後の画像データに前記ＯＳＤデータを合成して出力する出力手段と、を有することを特徴とする画像出力装置。
【請求項２】
前記ＯＳＤ生成手段は、出力先の前記表示装置の種別を示す識別子に基づいて、前記所定の色データを指定することを特徴とする請求項１に記載の画像出力装置。
【請求項３】
前記ＯＳＤ生成手段は、出力先の前記表示装置のガンマカーブに対応した色データを指定して前記ＯＳＤデータを生成することを特徴とする請求項１又は請求項２のいずれかに記載の画像出力装置。
【請求項４】
前記表示装置に表示可能な色の中から前記表示ディスプレイの表示特性に応じて選択された色に対応する色データ群を記録する記録手段を有し、
前記ＯＳＤ生成手段は、前記色データ群を用いて前記ＯＳＤデータを生成することを特徴とする請求項１から請求項３のいずれか一項に記載の画像出力装置。
【請求項５】
前記表示装置の種別を判別する識別子を取得する識別子取得手段を有し、
前記ＯＳＤ生成手段は、前記識別子に基づいて前記表示装置の表示特性を判断することを特徴とする請求項１から請求項４のいずれか一項に記載の画像出力装置。
【請求項６】
画像データを表示部に出力して画像を表示する表示装置において、
前記画像データに対して所定の画質処理を施す画質調整手段と、
前記画像データが出力される前記表示部の表示特性に応じて、所定の色データを指定したＯＳＤデータを生成するＯＳＤ生成手段と、
前記画質処理後の画像データに前記ＯＳＤデータを合成して出力する出力手段と、を有することを特徴とする表示装置。
【発明の詳細な説明】
【技術分野】
【０００１】
本発明は、ＯＳＤ画像を表示可能な画像出力装置、及び表示装置に関する。
【背景技術】
【０００２】
装置が取得する入力画像データは、出力先の機器の特性に依存することなく階調値等が設定されているため、この入力画像データに対して出力先の機器の特性を考慮した補正を行う必要がある。そのため、入力画像データに対して出力先の表示特性に応じて補正を加え、出力を行う装置が知られている（例えば、特許文献１参照。）。
また、入力画像データに対してＯＳＤ（On Screen Display）画像を合成して出力する装置も知られている（例えば、特許文献２参照。）
【先行技術文献】
【特許文献】
【０００３】
【特許文献１】特開２００６−２０８５７５号公報
【特許文献２】特表２００３−５０４９８９号公報
【発明の概要】
【発明が解決しようとする課題】
【０００４】
入力画像データに対して所定の画質調整を行った後、ＯＳＤ画像を合成する装置の場合、ＯＳＤ画像に対して画質調整が行われないため、出力先の表示装置の表示特性に応じてＯＳＤ画像の見栄えが均一とならない場合があった。
【０００５】
本発明は、上記課題にかんがみてなされたもので、異なる表示特性の表示装置に画像データを出力する場合でも、ＯＳＤ画像の色の見栄えを均一にすることが可能な画像出力装置、及び表示装置の提供を目的とする。
【課題を解決するための手段】
【０００６】
上記課題を解決するために、本発明では、画像データを表示装置に出力する画像出力装置において、前記画像データに対して所定の画質処理を施す画質調整手段と、前記画像データが出力される前記表示装置の表示特性に応じて、所定の色データを指定したＯＳＤデータを生成するＯＳＤ生成手段と、前記画質処理後の画像データに前記ＯＳＤデータを合成して出力する出力手段と、を有する。
【０００７】
また、上記課題を解決するために、本発明では、画像データを表示部に出力して画像を表示する表示装置において、前記画像データに対して所定の画質処理を施す画質調整手段と、前記画像データが出力される前記表示部の表示特性に応じて、所定の色データを指定したＯＳＤデータを生成するＯＳＤ生成手段と、前記画質処理後の画像データに前記ＯＳＤデータを合成して出力する出力手段と、を有する。
【０００８】
上記のように構成された発明では、画質調整手段は、画像データに対して所定の画質処理を施す。また、ＯＳＤ生成手段は、画像データが出力される表示部又は表示装置の表示特性に応じて、所定の色データを指定したＯＳＤデータを生成する。そして、出力手段は、画質処理後の画像データにＯＳＤデータを合成して出力する。
そのため、画像データに合成されるＯＳＤデータに対しても、出力先の表示特性を考慮した色データの指定が行われる。
【発明の効果】
【０００９】
以上説明したように本発明によれば、異なる表示特性の表示装置に画像データを出力する場合でも、ＯＳＤ画像の色の見栄えを均一にすることができる。
【図面の簡単な説明】
【００１０】
【図１】表示装置の構成を説明するためのブロック構成図である。
【図２】画像出力処理を説明するフローチャートである。
【図３】一例としてのＯＳＤ画像を説明する図である。
【図４】参照用テーブルＲＬＵＴ、及びカラーテーブルＣＬＵＴを説明する図である。
【図５】調整パラメーター設定処理を説明するフローチャートである。
【図６】コントローラー１３に記録されるパネルコードリストを説明する図である。
【図７】第２の実施形態にかかる画像出力装置を示す図である。
【図８】第２の実施形態にかかる調整パラメーター設定処理を説明するフローチャートである。
【発明を実施するための形態】
【００１１】
以下、本発明の実施形態を説明する。
【００１２】
（１）画像出力装置の構成 
図１は、表示装置の構成を説明するためのブロック構成図である。図２は、画像出力処理を説明するフローチャートである。
【００１３】
第１の実施形態では、画像出力装置１は表示装置により実現される。即ち、画像出力装置１は、図１に示すように、デジタル基板１０と、表示ディスプレイ（表示部、表示装置）２０と、を備えて構成される。デジタル基板１０は入力側でアンテナと接続され、出力側でＬＶＤＳケーブル３０を介して表示ディスプレイ２０と接続されている。この構成において、デジタル基板１０はアンテナが受信したテレビジョン放送から所定のチャンネルに係る映像データを抽出し、所定の処理を施した後、ＬＶＤＳケーブル３０を通じて映像データを表示ディスプレイ２０に出力する。
【００１４】
また、表示ディスプレイ２０は、例えば液晶ディスプレイであり、ディスプレイ本体や、ドライバーを備えている。ディスプレイ本体は、解像度に応じたＲ（レッド）、Ｇ（グリーン）、Ｂ（ブルー）の各画素により構成される。また、ドライバーは、ＬＶＤＳケーブル３０を通じて受信した映像データをデジタル・アナログ変換して、各画素を駆動するための駆動電圧を生成する。さらに、各画素とドライバーとは配線を通じて接続されており、この配線を通じて各画素には駆動電圧が供給される。
【００１５】
デジタル基板１０は、チューナー部１１と、ビデオメモリ１２と、コントローラー１３と、パレット参照用メモリ１４と、カラーパレット用メモリ１５と、Ｉ／Ｆ１６と、を備えている。また、上記したチューナー部１１と、ビデオメモリ１２と、コントローラー１３と、Ｉ／Ｆ１６とは、バス（例えば、Ｉ２Ｃバス）を介して接続され、互いに通信を行うことができる。
【００１６】
コントローラー１３は、ＣＰＵ（Central Processing Unit）や、所定のファームウェアー等を記録するＲＯＭ（Read Only Memory）、更には、ＲＡＭ（Random Access Memory）等を備えて実現される。また、コントローラー１３は、ＲＯＭに記録されたファームウェアー等を実行することで、表示装置の駆動における統合的な制御を実現する他、図２に示す画像出力処理を実行する。
【００１７】
また、画像出力処理では、コントローラー１３は、第１画質調整部（画質調整手段）１３ａ、第２画質調整部１３ｂ、ＯＳＤ部（ＯＳＤ生成手段）１３ｃの各機能を実現する。この画像出力処理により、表示ディスプレイ２０には画像データ、又はこの画像データにＯＳＤデータを合成した画像データが出力される。
【００１８】
図２のステップＳ１では、コントローラー１３は、画像データを取得する。即ち、コントローラー１３は、チューナー部１１により抽出された所定チャンネルにかかる画像データを取得し、ビデオメモリ１２に記録する。
【００１９】
そして、ステップＳ２では、コントローラー１３は、第１画質調整部１３ａの機能に従って、ビデオメモリ１２に記録された画像データに対して画質調整を施す。
第１画質調整部１３ａの機能として、コントローラー１３はビデオメモリ１２に記録される各種画像データに対して、出力先の表示ディスプレイ２０の表示特性に依存した画質調整を施す。具体的には、第１画質調整部１３ａは、表示ディスプレイ２０の解像度に応じて画像データに解像度変換処理を施し、表示ディスプレイ２０の表示特性に応じてガンマ補正を施す。
【００２０】
ここで、ガンマ補正は、機器非依存の画像データ（以下、入力画像データとも記載する。）の階調値を、表示ディスプレイ２０の表示特性に依存した画像データ（以下、出力画像データとも記載する。）の階調値に変換するものである。具体的には、入力画像データの階調値を横軸の値として、出力画像データの階調値を縦軸の値とすることで入力値と出力値の関係をガンマカーブとして示すことができる。そのため、ガンマ補正では、表示ディスプレイ２０の表示特性に依存する入力画像データと出力画像データとの対応関係を、出力画像データの値を変更することで表示ディスプレイ間で均一なものとする。また、表示ディスプレイ２０の表示特性の判断は、後述するオプションコードＰ＿ＯＮに応じて判断され、このオプションコードＰ＿ＯＮに応じて、種々のパラメーターが設定される。
【００２１】
次に、ステップＳ３では、コントローラー１３は、第２画質調整部１３ｂの機能に従って、取得された画像データに対して画質調整を施す。
第２画質調整部１３ｂの機能として、コントローラー１３は取得された画像データに対して、出力先の表示ディスプレイ２０の表示特性に依存しない画質調整を施す。例えば、第２画質調整部１３ｂは、画像データに対してコントラスト調整や明るさ調整等を施す。ここで、第２画質調整部１３ｂにより実施されるコントラスト調整や明るさ調整等は、ユーザーの操作入力に応じてパラメーターが設定される構成において、第１画質調整部１３ａのものと異なる。
【００２２】
次に、ステップＳ４では、コントローラー１３は、ＯＳＤ部１３ｃの機能に従って、ＯＳＤデータを生成する。ＯＳＤ部１３ｃの機能として、コントローラー１３はＯＳＤ画像を表示するためのＯＳＤデータを生成し、このＯＳＤデータを画像データに合成する。ＯＳＤ部１３ｃにより生成されるＯＳＤデータは、表示ディスプレイ２０の表示特性に応じてその値が設定されている。
【００２３】
ＯＳＤ画像は、ユーザーがリモコン装置２等の所定の操作キーを操作した場合、画面に表示される画像である。図３は、一例としてのＯＳＤ画像を説明する図である。図３Ａでは、ＯＳＤ画像の一例として、このＯＳＤ画像を装飾する帯状の画像ＥＧ１や、「ＰＩＣＴＵＲＥ」、「ＳＯＵＮＤ」、「ＳＥＴＵＰ」、「ＦＥＡＴＵＲＥ」、「ＬＡＮＧＵＡＧＥ」、「Ｂｌｕ−ｒａｙ」（Ｂｌｕ−ｒａｙは登録商標）の各種設定を行なうための文字列ＥＷ１が付されたアイコンの外枠ＥＧＮ（Ｎは２〜７までの整数）、各種アイコンを選択した際、色が反転して表示されるカーソルＥＧ８、及びその他の文字列ＥＷ２が表示されている。また、帯状の画像ＥＧ１には、ブランドを示すロゴ画像（ロゴデータ）が表示されている。以下、本明細書では、ＯＳＤ画像を構成する各部を構成要素とも記載する。
【００２４】
図３Ｂは、図３Ａに示されたＯＳＤ画像の一部を拡大して示す模式図である。図３Ｂに示すように、ＯＳＤデータは、ｘ方向と、ｙ方向とに所定数のビットが配列したビットマップデータで構成される。ビットマップデータを構成する各ビット（ｘｉ、ｙｊ）には１０２４色から選択された２５６色の内のいずれかの色データが指定されている。また、各ビットの内、上記した各構成要素を構成するビットを枠データとも記載する。例えば、帯状の画像ＥＧ１は、この画像を構成するビットの集合である枠データに対して所定の色データが付されることで構成される。ここで、色データとは、Ｒ、Ｇ、Ｂの各色要素を混色して再現される色や、Ｒ、Ｇ、Ｂのいずれかの色要素の単色により再現される色を意味する。
【００２５】
本実施形態では、表示ディスプレイ２０のガンマカーブを考慮した色データを枠データに指定することで、異なる表示ディスプレイ間でのＯＳＤ画像の色の見栄えを均一にしている。例えば、ＯＳＤ画像で「１００」の階調表現を行わせたいビットに対しては、該当表示ディスプレイ２０のガンマカーブに応じて「１００」の階調値として出力される色データの階調値を指定する。
【００２６】
ＯＳＤ部１３ｃが枠データに対して色データを指定する手法として、各ビットに関連づけられたカラーＩＤが用いられる。このカラーＩＤは、カラーテーブルＣＬＵＴ（後述）が記録する色データのいずれかに対応付けられている。そのため、所定ビットに付与されたカラーＩＤにより、このビットの色が指定されることとなる。
【００２７】
次に、ＯＳＤデータの生成を説明するため、参照用テーブルＲＬＵＴと、カラーテーブルＣＬＵＴの説明を行う。図４は、参照用テーブルＲＬＵＴ、及びカラーテーブルＣＬＵＴを説明する図である。
参照用テーブルＲＬＵＴには、各ビットに対応付けられたカラーＩＤと、任意のカラーテーブルＣＬＵＴが記録する色データとが１対１で対応づけて記録されている。そして、各色データの配列は、Ｒ、Ｇ，Ｂの各色要素の階調値に応じて配列順序が規定されている。
【００２８】
また、カラーテーブルＣＬＵＴには、１０ビット（１０２４色）の色データの中から事前に選択された８ビット（２５６色）の色データが所定の配列（図４では０〜２５５の２５６列）で記録されている。また、各色データには、この色データの色要素となるＲ、Ｇ，Ｂの各色の階調値が対応付けて記録されている。そして、カラーテーブルＣＬＵＴに記録される各色データは、色要素となるＲ、Ｇ、Ｂの各階調値の順にその配列が設定されている。
例えば、本実施形態では、カラーテーブルＣＬＵＴには、１０２４色の色データから選択された２５６色の色データが記録されており、カラーＩＤはカラーテーブルＣＬＵＴに記録された２５６色の色データのいずれかに対応している。なお、本実施形態では、カラーＩＤはビット毎に設定される構成であるが、これ以外にも上記した構成要素を１単位としてカラーＩＤを示すものであってもよい。そのため、カラーテーブルＣＬＵＴが本発明の色データ群を実現する。
【００２９】
参照用テーブルＲＬＵＴは、後述するオプションコードＰ＿ＯＮの数に応じて、パレット参照用メモリ１４に複数記録されている。同様に、カラーテーブルＣＬＵＴは、後述するオプションコードＰ＿ＯＮの数に応じてカラーパレット用メモリ１５に複数記録されている。また、各カラーテーブルＣＬＵＴは、オプションコードＰ＿ＯＮに応じて判別される表示ディスプレイ２０の表示特性に応じた色データを記録している。そのため、パレット参照用メモリ１４とカラーパレット用メモリ１５とが本発明の記録手段を実現する。
【００３０】
図２のステップＳ５では、コントローラー１３は、画質調整後の画像データにＯＳＤデータを合成する。そのため、画像データの一部領域に対して、例えば図３Ａで示すＯＳＤデータが合成される。
【００３１】
ステップＳ６では、コントローラー１３は、合成後の画像データを表示ディスプレイ２０に出力する。そして、表示ディスプレイ２０の図示しないドライバーは、画像データをデジタル・アナログ変換し、変換後のアナログ信号により駆動を行う。そのため、表示ディスプレイ２０には、ＯＳＤ画像が合成した画像データが表示される。上記のように、ＯＳＤデータは、表示ディスプレイ２０の表示特性（ガンマカーブ）に応じて各ビットに色データが指定される。また、ＯＳＤデータ以外の画像データに対しても、第１画質調整部１３ａによるガンマ補正が施される。そのため、合成後の画像データは、表示ディスプレイ２０の表示特性に対応させてその階調値が設定されることとなる。以上、ステップＳ５、Ｓ６の処理により本発明の出力手段が実現される。
【００３２】
（２）調整パラメーター設定処理
次に、図５を参照して、画像出力装置１が実行する調整パラメーター設定処理を説明する。図５は、調整パラメーター設定処理を説明するフローチャートである。この調整パラメーター設定処理により、画像出力処理で実行される画質調整のパラメーター及びＯＳＤデータの元となる枠データに指定される色データが設定される。また、調整パラメーター設定処理は、例えば、表示装置のファームウェアーの更新時において実行される処理である。また、図６は、コントローラー１３に記録されるパネルコードリストを説明する図である。
【００３３】
まず、図５のステップＳ１１では、コントローラー１３は、オプションコードＰ＿ＯＮの変更の有無を判断する。即ち、コントローラー１３は、オプションコードＰ＿ＯＮの値を参照して、出力先の表示ディスプレイ２０の種別等を判断する。
【００３４】
まず、図６をもとにオプションコードＰ＿ＯＮの説明を行う。オプションコードＰ＿ＯＮは、表示ディスプレイ２０の種別、及び表示装置に指定されるブランドに応じて設定される値である。例えば、オプションコードＰ＿ＯＮは、コントローラー１３が記録するパネルコードリストに関連付けて記録されている。このパネルコードリストには、例えば、表示ディスプレイ２０の「サイズ」、「製造メーカー」、「バックライトの種別」、及び「ブランド」とが関連付けられており、これらのリストの組合せによりオプションコードＰ＿ＯＮが決定される。例えば、図６では、出力先の表示ディスプレイ２０として特定されるパネルコード１には、「１８インチ」、「ａａａ社」、「ＬＥＤ」、「ＡＡＡ」となるリストの組合せに対してオプションコードＰ＿ＯＮ１が指定されている。そのため、コントローラー１３は、ファームウェアーの更新後に、パネルコードリストを参照し、該当するオプションコードＰ＿ＯＮを判断する。
【００３５】
ステップＳ１２では、コントローラー１３はオプションコードＰ＿ＯＮに応じて画像データに施す画質調整のパラメーターを設定する。このステップで設定される画質調整のパラメーターは、第１画質調整部１３ａにより使用されるパラメーターである。例えば、コントローラー１３は、オプションコードＰ＿ＯＮの値に応じて、画素数変換処理、及びガンマ補正の各パラメーターを設定する。なお、コントローラー１３には、オプションコードＰ＿ＯＮにより特定される表示ディスプレイ２０の画質特定に応じて、各パラメーターを事前に記録しているものとする。
【００３６】
ステップＳ１３では、コントローラー１３は、オプションコードＰ＿ＯＮに応じてＯＳＤデータを構成する色データを選択する。具体的には、コントローラー１３は、オプションコードＰ＿ＯＮに応じて、参照用テーブルＲＬＵＴ及びカラーテーブルＣＬＵＴの選択を行うことで、表示ディスプレイ２０の表示特性に応じた色データを選択する。そのため、コントローラー１３は、指定テーブル１４ａを参照して、オプションコードＰ＿ＯＮに対応する参照用テーブルＲＬＵＴ及びカラーテーブルＣＬＵＴを選択する。
【００３７】
本実施形態では、パレット参照用メモリ１４には、オプションコードＰ＿ＯＮに対応したカラーテーブルＣＬＵＴを参照するための指定テーブル１４ａが記録されている。この指定テーブル１４ａには、オプションコードＰ＿ＯＮと、参照用テーブルＲＬＵＴ及びカラーテーブルＣＬＵＴとが１対１で対応付けて記録されている。例えば、オプションコードＰ＿ＯＮを「１」〜「３」の３種類とする場合は、指定テーブル１４ａには、各オプションコードＰ＿ＯＮに対応づけて３種類の参照用テーブルＲＬＵＴ１〜３とカラーテーブルＣＬＵＴ１〜３が記録されている。
そのため、コントローラー１３は、この指定テーブル１４ａを参照して、オプションコードＰ＿ＯＮから参照用ＲＬＵＴ及びカラーテーブルＣＬＵＴを選択する。
【００３８】
ステップＳ１４では、コントローラー１３は、ステップＳ１２で設定したパラメーター及びステップＳ１３で設定した色データ（参照用テーブルＲＬＵＴ、カラーテーブルＣＬＵＴ）をＲＯＭ等に保持する。そのため、以後、保持されたパラメーターにより第１画質調整部１３ａにより画像データの画質調整が行われた後、保持された色データを用いてＯＳＤ部１３ｃによりＯＳＤ画像の生成が行われる。
以上の調整パラメーター設定処理により、画像出力処理において実行される画質調整のパラメーター及びＯＳＤデータを構成する色データが設定されることとなる。
【００３９】
（３）第２の実施形態
以下、第２の実施形態にかかる画像出力装置を説明する。図７は、第２の実施形態にかかる画像出力装置を示す図である。また、図８は、第２の実施形態にかかる調整パラメーター設定処理を説明するフローチャートである。
【００４０】
第２の実施形態にかかる画像出力装置は、出力先の表示装置の表示特性を動的に取得する構成において第１の実施形態と異なる。以下、第２の実施形態では、画像出力装置１は、メディアプレイヤー等の録画再生装置として実現される。
【００４１】
図７に示すように画像出力装置１は、チューナー部１１と、ビデオメモリ１２と、コントローラー１３と、パレット参照用メモリ１４と、カラーパレット用メモリ１５と、に加えて、メディアドライブ３１と、ＨＤＭＩ送信機３２と、を備えている。ここで、メディアドライブ３１は、光メディアに対してデータの書き込み又は読み出しを行う回路である。また、ＨＤＭＩ送信機３２は、表示ディスプレイ２０に備えられるＨＤＭＩ受信機２１と接続し、ＨＤＭＩ（High-Difinition Multimedea Interface）規格に従ったデータの通信を行うことができる。なお、それ以外の各部の構成は、第１の実施形態と同様であるため、説明を省略する。
【００４２】
以下、このような第２の実施形態にかかる調整パラメーター設定処理を図８をもとに説明する。
まず、ステップＳ２１では、コントローラー１３は、ＨＤＭＩ送信機３２を通じて表示ディスプレイ２０のプロダクトＩＤ（機種毎のＩＤ）、ベンダーＩＤ（製造者のＩＤ）を取得する。ここで、プロダクトＩＤは、表示ディスプレイ２０の機種を特定するためのＩＤである。また、ベンダーＩＤは、表示ディスプレイ２０の製造者を特定するためのＩＤである。本実施形態では、画像出力装置１は、プロダクトＩＤとベンダーＩＤとをパネルコードリストに対応づけて記録している。即ち、図６に示すパネルコードリストにおいて、プロダクトＩＤ及びベンダーＩＤがオプションコードＰ＿ＯＮに代用される。このステップＳ２１の処理により、本発明の識別子取得手段が実現される。
【００４３】
ステップＳ２２では、コントローラー１３はプロダクトＩＤ及びベンダーＩＤに応じて画像データに施す画質調整のパラメーターを設定する。このステップで設定されるパラメーターは、第１画質調整部１３ａにより使用されるパラメーターである。例えば、コントローラー１３は、プロダクトＩＤ及びベンダーＩＤに応じて、画素数変換処理、及びガンマ補正の各パラメーターを設定する。なお、各ＩＤとパラメーター等との関係は、事前に規定されているものとする。
【００４４】
ステップＳ２３では、コントローラー１３は、プロダクトＩＤ及びベンダーＩＤに応じてＯＳＤの枠データに指定する色データを設定する。この第２の実施形態では、指定テーブル１４ａには、プロダクトＩＤ及びベンダーＩＤと、参照用テーブルＲＬＵＴ及びカラーテーブルＣＬＵＴとが対応付けて記録されている。
【００４５】
ステップＳ２４では、コントローラー１３は、ステップＳ２２で設定したパラメーター及びステップＳ２３で設定した色データ（参照用テーブルＲＬＵＴ、カラーテーブルＣＬＵＴ）をＲＯＭ等に保持する。そのため、以後、保持されたパラメーターにより第１画質調整部１３ａにより画像データの画質調整が行われた後、保持された色データを用いてＯＳＤ部１３ｃによりＯＳＤ画像の生成が行われる。
以上の調整パラメーター設定処理により、画像出力処理において実行される画質調整のパラメーター及びＯＳＤデータを構成する色データが設定されることとなる。
【００４６】
以上説明したように、本発明では、画像データに対して画質調整を施した後に、ＯＳＤデータを合成する場合でも、ＯＳＤデータに対して出力先の表示特性を考慮して色データの指定が行われる。そのため、表示ディスプレイ間の表示特性が異なる場合でも、色の見栄えを均一にすることが可能となる。
また、ＯＳＤデータを構成する各ビットに付与される色データは、カラーパレットを用いて指定されるため、ＯＳＤデータの情報量を少なくすることができる。
【００４７】
なお、本発明は上記実施例に限られるものでないことは言うまでもない。即ち、上記実施例の中で開示した相互に置換可能な部材および構成等を適宜その組み合わせを変更して適用すること、公知技術であって上記実施例の中で開示した部材および構成等と相互に置換可能な部材および構成等を適宜置換し、またその組み合わせを変更して適用すること、公知技術等に基づいて当業者が上記実施例の中で開示した部材および構成等の代用として想定し得る部材および構成等と適宜置換し、またその組み合わせを変更して適用すること、は本発明の一実施例として開示されるものである。
【符号の説明】
【００４８】
１…画像出力装置、２…リモコン装置、１０…デジタル基板、１１…チューナー部、１２…ビデオメモリ、１３…コントローラー、１４…パレット参照用メモリ、１５…カラーパレット用メモリ、１６…Ｉ／Ｆ、２０…表示ディスプレイ、２１…ＨＤＭＩ受信機、３０…ＬＶＤＳケーブル、３１…メディアドライブ、３２…ＨＤＭＩ送信機
【図１】
2013134386.tif 000003
【図２】
2013134386.tif 000004
【図３】
2013134386.tif 000005
【図４】
2013134386.tif 000006
【図５】
2013134386.tif 000007
【図６】
2013134386.tif 000008
【図７】
2013134386.tif 000009
【図８】
2013134386.tif 000010